(57)【要約】【課題】火災発生時の障子の下がりを確実に受け止める構成を複雑化することなく実現できる建具を提供すること。【解決手段】建具１は、枠体１０の下部を構成する樹脂製の下枠１２と、下枠１２の内部に配置される金属製の下枠芯材１２ｄと、障子２０の下部を構成する樹脂製の下框３２と、下框３２の内部に配置される金属製の室内側下框芯材３２ｄ及び室外側下框芯材３２ｅと、下枠１２の外部である見込面（上面）に下枠芯材１２ｄに連結された状態で配置される金属製の受け金具（支持部材）３６と、を備え、受け金具３６は、下框３２と下枠１２の間で上下何れかを向く支持面３６ｃを有する。【選択図】図４
2019065552.tif 000002
【特許請求の範囲】
【請求項１】
枠体及び前記枠体に開閉可能に取り付けられる障子を備える建具であって、
前記枠体の下部を構成する樹脂製の下枠と、
前記下枠の内部に配置される金属製の下枠芯材と、
前記障子の下部を構成する樹脂製の下框と、
前記下框の内部に配置される金属製の下框芯材と、
前記下枠の外部に前記下枠芯材に連結された状態で配置される又は前記下框の外部に前記下框芯材に連結された状態で配置される金属製の支持部材と、
を備え、
前記支持部材は、前記下框と前記下枠の間で上下何れかを向く支持面を有する建具。
【請求項２】
前記下框の下部に配置される樹脂製の下がり止め部材を更に備え、
前記障子が閉鎖位置にある状態で、前記支持面と前記下框の下部の間に隙間が形成されるとともに前記下がり止め部材に対して前記支持部材が左右方向に位置をずらして配置される請求項１に記載の建具。
【請求項３】
前記障子が閉鎖位置にある状態で、前記樹脂製の下がり止め部材と前記下枠の上下方向のクリアランスよりも、前記下框の下面と前記支持部材の前記支持面の間の上下方向のクリアランスの方が大きく構成される請求項２に記載の建具。
【請求項４】
戸先側の縦枠と前記下枠を前記枠体の内側で連結するコーナー金具を更に備え、
前記支持部材は、前記コーナー金具と一体的な部材として構成される請求項１に記載の建具。
【請求項５】
前記支持部材は、前記下框芯材に連結された状態で前記下框に固定され、
前記障子が閉鎖位置にある状態で、前記支持面が前記下枠の上面に対向するように構成される請求項１に記載の建具。
【発明の詳細な説明】
【技術分野】
【０００１】
本発明は、開閉可能な障子を備える建具に関する。
【背景技術】
【０００２】
従来、開閉可能な障子を備える建具において、火災発生時の障子の下がりを防止する技術が知られている。この種の技術を開示するものとして例えば特許文献１や特許文献２がある。
【０００３】
特許文献１には、アルミ製の金属下枠の室内側露出面を覆うように樹脂製の下枠が一体化されている下枠の内周面にスチール製の係合突部材が固定されている構成において、係合突部材の係合突部に、下框に形成される突片である保持片を係合させることによって、下框の反りを抑制するとともに、加熱発泡材により下枠と下框との間の隙間を塞ぐことにより、開口部装置の下辺において枠体と障子の間の隙間発生を防止し、防火性能を高くすることができると記載されている。
【０００４】
特許文献２には、樹脂製建具であって、障子の下部に固定され、障子と枠体との間に設けられた金属製の障子側部材と、枠体に固定され、障子を閉じた状態にて、障子側部材と互いに間隔を隔てて当該障子側部材の下方に配置される金属製の枠側部材と、を有する構成について記載されている。
【先行技術文献】
【特許文献】
【０００５】
【特許文献１】特開２０１４−１１８７１４号公報
【特許文献２】特許第５２２５１９６号公報
【発明の概要】
【発明が解決しようとする課題】
【０００６】
障子の下方に位置する下枠を樹脂製にした場合、特許文献１のようにスチール製の係合突部材を樹脂製の下枠に固定しても下枠が溶融すれば障子の下がりを適切な位置で受け止められないおそれもある。この点、特許文献２の構成では、障子の下部に固定される金属製の障子側部材と枠体に固定される金属製の枠側部材の２部材で障子の下がりを防止しているものの、部品手数及び製造工程が増加してしまうことに加えて障子の荷重をしっかりと受け止めるという点で改善の余地があった。
【０００７】
本発明は、火災発生時の障子の下がりを確実に受け止める構成を複雑化することなく実現できる建具を提供することを目的とする。
【課題を解決するための手段】
【０００８】
本発明は、枠体（例えば、後述の枠体１０）及び前記枠体に開閉可能に取り付けられる障子（例えば、後述の障子２０）を備える建具（例えば、後述の建具１）であって、前記枠体の下部を構成する樹脂製の下枠（例えば、後述の下枠１２）と、前記下枠の内部に配置される金属製の下枠芯材（例えば、後述の下枠芯材１２ｄ）と、前記障子の下部を構成する樹脂製の下框（例えば、後述の下框３２）と、前記下框の内部に配置される金属製の下框芯材（例えば、後述の室内側下框芯材３２ｄ、室外側下框芯材３２ｅ）と、前記下枠の外部に前記下枠芯材に連結された状態で配置される又は前記下框の外部に前記下框芯材に連結された状態で配置される金属製の支持部材（例えば、後述の受け金具３６，２３６，３３６，４３６）と、を備え、前記支持部材は、前記下框と前記下枠の間で上下何れかを向く支持面（例えば、後述の支持面３６ｃ，２３６ｃ，２３６ｄ，４３６ｃ）を有する建具に関する。
【０００９】
前記建具は、前記下框の下部に配置される樹脂製の下がり止め部材（例えば、後述の受け樹脂部材３５）を更に備え、前記障子が閉鎖位置にある状態で、前記支持面と前記下框の下部の間に隙間が形成されるとともに前記下がり止め部材に対して前記支持部材（例えば、後述の受け金具３６，２３６，３３６）が左右方向に位置をずらして配置されることが好ましい。
【００１０】
前記建具は、前記障子が閉鎖位置にある状態で、前記樹脂製の下がり止め部材と前記下枠の上下方向のクリアランスよりも、前記下框の下面と前記支持部材の前記支持面の間の上下方向のクリアランスの方が大きく構成されることが好ましい。
【００１１】
前記建具は、戸先側の縦枠と前記下枠を前記枠体の内側で連結するコーナー金具（例えば、後述の受け金具２３６，３３６）を更に備え、前記支持部材は、前記コーナー金具と一体的な部材として構成されることが好ましい。
【００１２】
前記支持部材(例えば、後述の受け金具４３６)は、前記下框芯材（例えば、後述の室内側下框芯材３２ｄ）に連結された状態で前記下框に固定され、前記障子が閉鎖位置にある状態で、前記支持面（例えば、後述の支持面４３６ｃ）が前記下枠の上面に対向するように構成されることが好ましい。
【発明の効果】
【００１３】
本発明の建具によれば、火災発生時の障子の下がりを確実に受け止める構成を複雑化することなく実現できる。
【図面の簡単な説明】
【００１４】
【図１】本発明の一実施形態に係る建具を示す正面図である。
【図２】本実施形態の建具の縦断面図である。
【図３】本実施形態の建具の横断面図である。
【図４】本実施形態の建具が備える受け金具及びその周囲を示す縦断面図である。
【図５】本実施形態の建具が備える受け金具及びその周囲を示す斜視図である。
【図６】第１変形例の建具が備える受け金具及びその周囲を示す縦断面図である。
【図７】第１変形例の建具が備える受け金具及びその周囲を示す斜視図である。
【図８】第２変形例の建具に用いられる受け金具の斜視図である。
【図９】第３変形例の建具が備える受け金具及びその周囲を示す縦断面図である。
【発明を実施するための形態】
【００１５】
以下、本発明の好ましい実施形態について、図面を参照しながら説明する。なお、本明細書において、「見付方向」とは、建物に形成された開口部に納められた建具（サッシ）の枠体に収められるガラスや障子の面内方向を意味し、「見込方向」とは、室内外方向（即ち、奥行き方向）を意味する。
【００１６】
図１は、本発明の一実施形態に係る建具１を示す正面図である。本実施形態の建具１は、防火仕様の縦辷り窓である。まず、建具１の全体構成について説明する。本実施形態の建具１は、建物開口部に固定される枠体１０と、枠体１０の内側に開閉可能に取り付けられる障子２０と、を備える。
【００１７】
枠体１０は、上枠１１、下枠１２、吊元側縦枠１３及び戸先側縦枠１４が矩形に枠組みされて構成される。上枠１１、下枠１２、吊元側縦枠１３及び戸先側縦枠１４は、何れも樹脂製であり、溶着によって接合される。
【００１８】
図２は、本実施形態の建具１の縦断面図である。上枠１１の内部は、見込方向で複数の空間に区画されており、室外側から室内側の順に中空部１１ａ，１１ｂ，１１ｃが形成される。中空部１１ｃには金属製の上枠芯材１１ｄが配置される。また、上枠１１の室内側下部には、下方に延びる延出部１１ｅが形成され、延出部１１ｅの室外側の見付面にはクッション材１１ｆが配置される。同様に、下枠１２の内部にも、見込方向に複数の中空部１２ａ，１２ｂ，１２ｃが形成され、中空部１２ｂには金属製の下枠芯材１２ｄが配置される。また、下枠１２の室内側上部には、上方に延びる延出部１２ｅが形成され、該延出部１２ｅにもクッション材１２ｆが配置される。
【００１９】
図３は、本実施形態の建具１の横断面図である。吊元側縦枠１３の内部も、見込方向で区画された複数の中空部１３ａ，１３ｂ，１３ｃが形成され、中空部１３ｂには金属製の縦枠芯材１３ｄが配置される。また、吊元側縦枠１３の室外側には見付方向戸先側に延びる延出部１３ｅが形成され、該延出部１３ｅにもクッション材１３ｆが配置される。
【００２０】
戸先側縦枠１４の内部にも、見込方向で区画された複数の中空部１４ａ，１４ｂ，１４ｃが形成され、中空部１４ｂには金属製の縦枠芯材１４ｄが配置される。戸先側縦枠１４の室外側にも見付方向吊元側に延びる延出部１４ｅが形成され、該延出部１４ｅにもクッション材１４ｆが配置される。
【００２１】
図３に示すように、枠体１０の内側の隅（内隅）には枠側コーナー金具４６がそれぞれ配置される（図２において図示省略）。枠側コーナー金具４６は、４隅のそれぞれに配置される。枠側コーナー金具４６自体は、枠体１０の見込面に配置されるが、ネジ等の締結部材を介して枠体１０の内側の芯材（上枠芯材１１ｄ、下枠芯材１２ｄ、縦枠芯材１３ｄ及び縦枠芯材１４ｄ）に締結固定される。より具体的には、枠体１０の戸先側上部では、上枠芯材１１ｄと縦枠芯材１４ｄが枠側コーナー金具４６によって連結され、吊元側上部では、上枠芯材１１ｄと縦枠芯材１３ｄが連結される。同様に、戸先側下部では、下枠芯材１２ｄと縦枠芯材１４ｄが枠側コーナー金具４６によって連結され、吊元側下部では、下枠芯材１２ｄと縦枠芯材１３ｄが連結される。
【００２２】
障子２０は、ガラス２５と、ガラス２５を囲うように構成される框体３０と、を含むように構成される。
【００２３】
ガラス２５は、室外側に配置される室外側ガラス２５ａと、室外側ガラス２５ａに対して隙間をあけて室内側に配置される室内側ガラス２５ｂと、を備える複層ガラスである。室外側ガラス２５ａと室内側ガラス２５ｂの間にはスペーサ２６等が配置される。
【００２４】
框体３０は、上框３１、下框３２、吊元側縦框３３及び戸先側縦框３４が矩形に枠組みされて構成される。上框３１、下框３２、吊元側縦框３３及び戸先側縦框３４は、何れも樹脂製であり、溶着によって接合される。
【００２５】
上框３１の内部には、室外側から室内側に向かって複数の中空部３１ａ，３１ｂ，３１ｃが形成される。最も室内側に位置する中空部３１ｃには、金属で形成される室内側上框芯材３１ｄが配置される。中空部３１ｂにも、金属製の室外側上框芯材３１ｅが配置される。室内側上框芯材３１ｄ及び室外側上框芯材３１ｅは、何れも上框３１の長手方向に沿って延びている。上框３１の室外側上部には、上枠１１の一部と見込方向で対向する延出部３１ｆが形成される。延出部３１ｆの室内側にはクッション材３１ｇが設けられる。また、延出部３１ｆの下方には樹脂製の押し縁部材２７を嵌合固定する嵌合固定部３１ｈが形成される。
【００２６】
下框３２の内部にも、室外側から室内側に向かって複数の中空部３２ａ，３２ｂ，３２ｃが形成される。最も室内側に位置する中空部３２ｃには、金属で形成される室内側下框芯材３２ｄが配置される。中空部３２ｂにも、金属製の室外側下框芯材３２ｅが配置される。室内側下框芯材３２ｄ及び室外側下框芯材３２ｅは、何れも下框３２の長手方向に沿って延びている。下框３２の室外側下部には、下枠１２の一部と見込方向で対向する延出部３２ｆが形成される。延出部３２ｆの室内側にはクッション材３２ｇが設けられる。また、延出部３２ｆの下方には樹脂製の押し縁部材２７を嵌合固定する嵌合固定部３２ｈが形成される。
【００２７】
吊元側縦框３３の内部には、室外側から室内側に向かって複数の中空部３３ａ，３３ｂ，３３ｃが形成される。最も室内側に位置する中空部３３ｃには、金属で形成される室内側縦框芯材３３ｄが配置される。中空部３３ｂにも、金属製の室外側縦框芯材３３ｅが配置される。室内側縦框芯材３３ｄ及び室外側縦框芯材３３ｅは、何れも吊元側縦框３３の長手方向に沿って延びている。吊元側縦框３３の室外側には、吊元側縦枠１３の一部と見込方向で対向する延出部３３ｆが形成される。延出部３３ｆの室内側にはクッション材３３ｇが設けられる。また、延出部３３ｆの戸先側には樹脂製の押し縁部材２７を嵌合固定する嵌合固定部３３ｈが形成される。
【００２８】
戸先側縦框３４の内部には、室外側から室内側に向かって複数の中空部３４ａ，３４ｂ，３４ｃが形成される。最も室内側に位置する中空部３４ｃには、金属で形成される室内側縦框芯材３４ｄが配置される。中空部３４ｂにも、金属製の室外側縦框芯材３４ｅが配置される。室内側縦框芯材３４ｄ及び室外側縦框芯材３４ｅは、何れも戸先側縦框３４の長手方向に沿って延びている。戸先側縦框３４の室外側には、吊元側縦枠１３の一部と見込方向で対向する延出部３４ｆが形成される。延出部３４ｆの室内側にはクッション材３４ｇが設けられる。また、延出部３４ｆの吊元側には樹脂製の押し縁部材２７を嵌合固定する嵌合固定部３４ｈが形成される。
【００２９】
本実施形態では、框体３０内部の室外側に位置する芯材（室外側上框芯材３１ｅ、室外側下框芯材３２ｅ、室外側縦框芯材３３ｅ及び室外側縦框芯材３４ｅ）と、室内側に位置する芯材（室内側上框芯材３１ｄ、室内側下框芯材３２ｄ、室内側縦框芯材３３ｄ及び室内側縦框芯材３４ｄ）と、が框芯材連結金具６７によって連結されている。框芯材連結金具６７は、框体３０の外側面の形状に応じて段差状に形成されるプレート部材である。框芯材連結金具６７は、框体３０（上框３１、下框３２、吊元側縦框３３及び戸先側縦框３４）の外部に配置され、框体３０の内部で異なる中空部に配置される室外側の芯材と室内側の芯材にネジ等の締結部材によってそれぞれ締結される。これによって見込方向に複数の中空部が形成される樹脂製の框体３０が火災発生時の高温環境下で室外側と室内側に分離する事態が確実に防止されている。
【００３０】
障子２０は、上枠１１に連結されるとともに上框３１（框体３０）に連結される上アーム部材６１及び下枠１２に連結されるとともに下框３２（框体３０）に連結される下アーム部材６２によって開閉可能に枠体１０の内側に支持される。本実施形態では、上アーム部材６１及び下アーム部材６２は、何れも框体３０に対して金属により板状に成形される補強材６５を介して連結される。
【００３１】
障子２０の戸先側には、ハンドル５５に連動するスライドロック機構５０が配置される。スライドロック機構５０は、ハンドル５５操作に連動して上下方向に移動するスライドプレート５１と、スライドプレート５１の戸先側の見込面に形成されるロックピン５２と、を備える。戸先側縦枠１４の内側の見込面には、ロックピン５２が嵌合するロックピン受け金具１５が固定される。本実施形態では、ロックピン５２は、上下方向で複数個所に形成されており、ロックピン受け金具１５もロックピン５２の数に応じて上下方向に間隔をあけて複数固定される。また、スライドプレート５１は、戸先側縦框３４の戸先側にスライド嵌合された状態でハンドル５５に連結されている。
【００３２】
下框３２には、通常使用時の障子２０の下がりを防止するための受け樹脂部材３５が下框３２の下面に固定されている。受け樹脂部材３５は、例えばポリアセタール（ＰＯＭ）樹脂により、その下部が室内側から室外側に向かうにつれて下側に近づくように傾斜した形状で成形される。また、障子２０の左右方向において中央よりも戸先側に位置している。この受け樹脂部材３５により、重みによって障子２０が下がったとしても、受け樹脂部材３５が下枠１２に接触し、障子２０のそれ以上の下方への移動が規制される。
【００３３】
本実施形態の建具１は、受け樹脂部材３５とは別に、火災発生時の障子２０の下がりを防止する受け金具３６を更に備える。この受け金具３６に関する構成について説明する。図４は、本実施形態の建具１が備える受け金具３６及びその周囲を示す縦断面図である。なお、図４では、枠側コーナー金具４６の図示を省略している。図５は、本実施形態の建具１が備える受け金具３６及びその周囲を示す斜視図である。
【００３４】
図４及び図５に示すように、受け金具３６は、下枠１２の上面（見込面）に配置される。本実施形態の受け金具３６は、締結孔３６ｂが形成される固定面３６ａと、障子２０を受け止める支持面３６ｃと、を備える。
【００３５】
締結孔３６ｂは、見込方向に長い長孔として左右方向に並んで２箇所形成されており、受け金具３６の取付位置を見込方向で調整可能となっている。締結孔３６ｂに締結されるネジ（締結部材）３７は、下枠１２の見込面を貫通し、中空部１２ｂの下枠芯材１２ｄに締結固定される。これによって受け金具３６と下枠芯材１２ｄが連結される。下枠芯材１２ｄには、予めネジ３７を締結するための締結孔が形成されており、下枠１２には、ネジ３７を挿通するための孔が事前に形成されている。なお、ネジ３７を通すための孔は、場合によっては締結時に形成してもよい。
【００３６】
支持面３６ｃは、障子２０の下がりを受け止める部位である。図４に示すように、支持面３６ｃは、上方を向いており、閉鎖位置にある障子２０の下框３２の下面に対向する位置関係となっている。また、下框３２の中空部３２ｂに配置される室外側下框芯材３２ｅに上下方向では重なる位置関係となっている。
【００３７】
本実施形態の室外側下框芯材３２ｅには、下框３２の上面（見込面）に配置されるガラス外れ止め部材４０がネジ４５を介して連結されている。ガラス外れ止め部材４０は、ガラス２５の室外側への移動を規制する部材であり、内側の底面には加熱発泡材３８が配置される。また、固定面３６ａにおける室内側の上方には、下框３２の下面に配置される加熱発泡材３９が取り付けられる。本実施形態の加熱発泡材３９は、下框３２と受け樹脂部材３５との間に位置する。
【００３８】
室外側の上下方向では、上から順にガラス２５、ガラス外れ止め部材４０（加熱発泡材３８）、下框３２の室外側の上面、室外側下框芯材３２ｅ、下框３２の室外側の下面、支持面３６ｃ、固定面３６ａ、下枠１２という位置関係になる。また、室内側の上下方向では、上から順に、下框３２の室内側の上面、室内側下框芯材３２ｄ、下框３２の室内側の下面、加熱発泡材３９、固定面３６ａ、下枠１２、下枠芯材１２ｄという位置関係となる。
【００３９】
図５に示すように、下枠１２の戸先側には枠側コーナー金具４６が配置されている。枠側コーナー金具４６は、戸先側縦枠１４の見込面からネジ４７を介して中空部１３ｂに位置する縦枠芯材１４ｄに連結されるとともに、下枠１２の見込面からネジ４７を介して中空部１２ｂに位置する下枠芯材１２ｄに連結される。また、障子２０が閉鎖位置にある状態で枠側コーナー金具４６の近傍に受け樹脂部材３５が位置する。
【００４０】
本実施形態の受け金具３６は、下枠１２の戸先側に位置する枠側コーナー金具４６及び受け樹脂部材３５に干渉しないように左右方向又は見込方向に位置をずらした上で、下枠１２の上面（見込面）における戸先側に配置される。ここでいう戸先側は、少なくとも下枠１２の長手方向中央よりも戸先に近い側である。本実施形態では、障子２０が閉鎖位置にある状態において、左右方向で戸先側から吊元側に向かって枠側コーナー金具４６、受け樹脂部材３５、受け金具３６の順に配置される。
【００４１】
受け樹脂部材３５は、通常の使用範囲における障子２０の下がりを防止するためのものである。一方、受け金具３６は火災時に障子２０の下がりを防止するためのものである。本実施形態では、閉鎖位置における受け樹脂部材３５と下枠１２の最も近接する部分の上下方向のクリアランスよりも、下框３２の下面と受け金具３６の支持面３６ｃの間の上下方向のクリアランスの方が大きくなるレイアウトになっている。これによって、通常の使用範囲では、受け金具３６は下框３２に接触し難くなっており、障子２０が下がると受け樹脂部材３５が下枠１２に先に接触するようになっている。
【００４２】
以上説明した上記実施形態の構成によれば、以下のような効果を奏する。
建具１は、枠体１０の下部を構成する樹脂製の下枠１２と、下枠１２の内部に配置される金属製の下枠芯材１２ｄと、障子２０の下部を構成する樹脂製の下框３２と、下框３２の内部に配置される金属製の室内側下框芯材３２ｄ及び室外側下框芯材３２ｅと、下枠１２の外部である見込面（上面）に下枠芯材１２ｄに連結された状態で配置される金属製の受け金具（支持部材）３６と、を備え、受け金具３６は、下框３２と下枠１２の間で上下何れかを向く支持面３６ｃを有する。
【００４３】
これにより、火災によって樹脂部分が溶融して障子２０が下がろうとしても、金属製の下枠芯材１２ｄによって保持された受け金具３６の支持面３６ｃが下框３２の荷重をしっかりと受け止めることができるので、受け金具３６から障子２０が室外側にずれたりすることなく、障子２０の下がりを確実に防止できる。また、下枠１２又は下框３２の何れかに受け金具３６を設けるというシンプルな構成で実現できるので、従来技術に比べて部品点数を少なくすることができ、装置構成及び工程の複雑化を避けることができる。
【００４４】
また、本実施形態では、下框３２の下部に配置される受け樹脂部材３５を更に備え、障子２０が閉鎖位置にある状態で、支持面３６ｃと下框３２の下部の間に隙間が形成されるとともに受け樹脂部材３５に対して受け金具３６が左右方向に位置をずらして配置される。
【００４５】
これにより、通常の使用範囲での障子２０の下がりは受け樹脂部材３５で防止し、火災発生時の障子２０の下がりは金属製の受け金具３６で障子２０の下がりを防止することができる。従って、受け樹脂部材３５については使用範囲での適した形状、例えば本実施形態のように下部が傾斜するように成形し、火災発生時には支持面３６ｃを有する受け金具３６によって障子２０の荷重をしっかりと受け止める構成を実現できる。また、受け樹脂部材３５と下枠１２のクリアランスと下框３２と受け金具３６のクリアランスの設定によって障子２０の下がりを防止する程度を目的に応じて調整することができる。
【００４６】
また、本実施形態では、障子２０が閉鎖位置にある状態で、樹脂製の受け樹脂部材３５と下枠１２の上下方向のクリアランスよりも、下框３２の下面と受け金具３６の支持面３６ｃの間の上下方向のクリアランスの方が大きく構成される。
【００４７】
これにより、通常の使用範囲で受け金具３６が下枠１２に接触する事態の発生を確実に防止できる。
【００４８】
次に、上記実施形態の変形例について説明する。なお、以下の説明において上記実施形態と共通又は同様の構成については同じ符号を付してその説明を省略する場合がある。
【００４９】
まず、コーナー金具に受け金具の機能を持たせた第１変形例について説明する。図６は、第１変形例の建具１が備える受け金具２３６及びその周囲を示す縦断面図であり、図７は、第１変形例の建具が備える受け金具２３６及びその周囲を示す斜視図である。
【００５０】
図６及び図７に示すように、第１変形例の受け金具２３６は、下枠１２と戸先側縦枠１４の連結部分の内隅に配置される。受け金具２３６は、第１固定面２３６ａと、第２固定面２３６ｅと、室外側に位置する支持面２３６ｃと、室内側に位置する支持面２３６ｄと、を備える。
【００５１】
第１固定面２３６ａは、取付状態において下枠１２の見込面の最も戸先側に位置する。第１固定面２３６ａには、左右方向に細長い締結孔２３６ｂが見込方向に間隔をあけて２箇所形成されている。第１固定面２３６ａの締結孔２３６ｂを通じてネジ３７（図７参照）が下枠１２の中空部１２ｂの下枠芯材１２ｄに締結固定されることによって第１固定面２３６ａが固定される。第２固定面２３６ｅは、取付状態において戸先側縦枠１４の見込面の最も下側に位置する。第２固定面２３６ｅには、上下方向に細長い締結孔２３６ｆが見込方向に間隔をあけて２箇所形成されている。第２固定面２３６ｅの締結孔２３６ｆを通じてネジ４７が戸先側縦枠１４の中空部１４ｂの縦枠芯材１４ｄに締結固定されることによって第２固定面２３６ｅが固定される。このように、第１変形例の受け金具２３６は、下枠１２と戸先側縦枠１４を連結する枠側コーナー金具として機能する第１固定面２３６ａ及び第２固定面２３６ｅを備える。
【００５２】
室外側に位置する支持面２３６ｃは、第１固定面２３６ａの室外側端部から上方に延びた後、室外側に略直角に屈曲して形成される。室内側に位置する支持面２３６ｄは、第１固定面２３６ａの室内側端部から上方に延びた後、室内側に略直角に屈曲して形成される。支持面２３６ｃ及び支持面２３６ｄは、何れも上方を向いており、火災発生時の障子２０の下がりをしっかりと受け止めることができる形状となっている。
【００５３】
本実施形態では、室内外側に位置する支持面２３６ｃ及び室内側に位置する支持面２３６ｄは、その高さが略同じ高さになっており、受け樹脂部材３５とのクリアランスの関係も上記実施形態と同様の関係となっている。なお、その他の枠側コーナー金具４６は、上記実施形態と同様の構成であり、下枠１２と戸先側縦枠１４の連結部分の内隅に配置されるものだけが第２変形例の受け金具２３６となっている。場合によっては、下枠１２と吊元側縦枠１３の連結部分に配置される枠側コーナー金具も、第１変形例と同じ受け金具２３６を配置する構成としてもよい。
【００５４】
コーナー金具として機能する受け金具は、第１変形例の構成に限定されるわけではない。図８を参照してコーナー金具として機能する第２変形例の受け金具３３６について説明する。図８に示す受け金具３３６のように、見込方向の一側（室内側又は室外側）だけに支持面２３６ｄを備える構成とすることもできる。第２変形例の受け金具３３６は、支持面２３６ｄが見込方向の片側だけである以外は、基本的に第１変形例の受け金具２３６と同様の構成である。また、見込方向の室外側及び室内側の何れに支持面２３６ｄを設けるかは、建具のその他の構成に応じて適宜選択することができる。
【００５５】
以上説明した第１変形例及び第２変形例の受け金具２３６，３３６は、戸先側縦枠１４と下枠１２を枠体１０の内側で連結するコーナー金具と一体的な部材として構成される。
【００５６】
この構成により、上記実施形態と同様に火災発生時の障子２０の下がりを防止することができる。また、受け金具２３６，３３６が枠側コーナー金具としても機能するので上記実施形態に比べて受け金具２３６をより戸先側に配置できるとともに障子２０の下がりを防止するための部品点数を削減することができる。
【００５７】
次に、上記実施形態から受け樹脂部材３５を省略した第３変形例について説明する。図９は、第３変形例の建具１が備える受け金具４３６及びその周囲を示す縦断面図である。
【００５８】
図９に示す第３変形例の建具１は、受け樹脂部材３５を備えていない点と、受け金具４３６が下枠１２ではなく下框３２に固定されている点と、が上記実施形態と異なっている。第３変形例では、受け金具４３６は、下框３２の下部に固定される固定面４３６ａと、下枠１２の見込面に対向する支持面４３６ｃと、を備える。
【００５９】
受け金具４３６の固定面４３６ａには締結孔４３６ｂが形成されており、この締結孔４３６ｂを通じてネジ４３７が下框３２の中空部３２ｃの室内側下框芯材３２ｄに締結される。これによって受け金具４３６が下框３２に固定される。
【００６０】
以上説明したように、第３変形例では、受け金具４３６が、室内側下框芯材３２ｄに連結された状態で下框３２に固定され、障子２０が閉鎖位置にある状態で、支持面４３６ｃが下枠１２の上面に対向するように構成される。
【００６１】
この構成により、障子２０が下がっても受け金具４３５の支持面４３６ｃが下枠１２（下枠芯材１２ｄ）に面接触して下方から支持されるので、障子２０の下がりを防止することができる。また、障子２０を閉鎖位置から開放位置にした場合でも、受け金具４３６が障子２０とともに移動するので、下枠１２の見込面に受け金具が残らず、障子２０を開いたときの意匠性をより向上させることができる。また、受け樹脂部材３５を省略することができるので、障子２０の下がりを防止するための構成を実現できる建具１の全体としての部品点数の削減に寄与することができる。
【００６２】
以上、本発明の好ましい実施形態について説明したが、本発明は、上述の実施形態に制限されるものではなく、適宜変更が可能である。例えば、障子２０の戸先側の下がりを防止するという観点では受け金具（支持部材）は戸先側に配置されることが好ましいが、吊元側に位置する構成としてもよい。また、横辷り窓等の他の構成の建具においても本発明を適用することができる。
【００６３】
また、上記実施形態で説明した上框３１、下框３２、吊元側縦框３３及び戸先側縦框３４の構成に限られず、框体の構成は適宜変更することができる。例えば、框体（上框、下框、吊元側縦框及び戸先側縦框）の見込方向室内側及び室外側の何れか一側又は両方にアルミ形材等の金属製のカバー部材を配置する構成としてもよい。
【符号の説明】
【００６４】
１  建具
１２  下枠
１２ｄ  下枠芯材
２０  障子
３２  下框
３２ｄ  第１下框芯材(下框芯材)
３２ｅ  第２下框芯材(下框芯材)
３５  受け樹脂部材（下がり止め部材）
３６，２３６，３３６，４３６  受け金具（支持部材）
３６ｃ，２３６ｃ，２３６ｄ，４３６ｃ  支持面
【図１】
2019065552.tif 000003
【図２】
2019065552.tif 000004
【図３】
2019065552.tif 000005
【図４】
2019065552.tif 000006
【図５】
2019065552.tif 000007
【図６】
2019065552.tif 000008
【図７】
2019065552.tif 000009
【図８】
2019065552.tif 000010
【図９】
2019065552.tif 000011